(57)【要約】      （修正有）【課題】メーカーが分からない等の鍵がオリジナルキーであっても、スペアキーの母材として使用することが出来るブランクキーが既に存在していれば、そのブランクキーを検索することが出来るスペアキー製作用のブランクキー検索表を提供する。【解決手段】複数個のブランクキーの差し込み部分の平面形状図が表示されている平面形状図表と、この平面形状図に表示されている１つの平面形状図１１に対応している樹形図状のブランクキー分類図表２０とによって構成されている。ブランクキー分類図表本体２０ａには樹形図に沿って横断面形状図３１，板厚を示す数字３２，ストッパー形状図３３，ブランクキーの原寸大の写真３４が表示されている。【選択図】図３
0003186246.tif 000002
【実用新案登録請求の範囲】
【請求項１】
オリジナルキーからスペアキーを製作する際の母材となるブランクキーを検索するためのブランクキー検索表であって、
前記オリジナルキーの差し込み部分の表側と裏側との溝の平面構造を表わした平面形状図が複数個表示されている平面形状図表と、該平面形状図表に表示されている複数個の前記平面形状図の各々に対応した複数枚のブランクキー分類図表とによって構成され、
前記ブランクキー分類図表は、前記オリジナルキーの前記平面形状図を元とする樹形図状に構成された図表であって、前記樹形図の前記平面形状図の次段には、前記オリジナルキーの差し込み部分の横断面形状を表わす複数個の横断面形状図が表示され、その次段には、前記横断面形状図に対応した前記オリジナルキーの板厚を示す数字が複数個表示され、その次段には、前記板厚を示す数字に対応した複数個のストッパー形状図が表示され、その次段には、前記ストッパー形状図に対応した前記ブランクキーの表面および裏面の平面構造を表わした原寸大の写真または原寸大の平面形状図が複数個表示されていることを特徴とするスペアキー製作用のブランクキー検索表。
【請求項２】
前記平面形状図表は複数枚であることを特徴とする請求項１に記載のスペアキー製作用のブランクキー検索表。
【請求項３】
オリジナルキーからスペアキーを製作する際の母材となるブランクキーを検索するためのブランクキー検索表であって、
前記オリジナルキーの差し込み部分の表側と裏側との溝の平面構造を表わした平面形状図が複数個表示されている平面形状図表と、該平面形状図表に表示されている複数個の前記平面形状図の各々に対応した複数枚のブランクキー分類図表とによって構成され、
前記ブランクキー分類図表は、前記オリジナルキーの前記平面形状図を元とする樹形図状に構成された図表であって、前記樹形図の前記平面形状図の次段には、前記オリジナルキーの板厚を示す数字が複数個表示され、その次段には、前記板厚を示す数字に対応した前記オリジナルキーの差し込み部分の横断面形状を表わす複数個の横断面形状図が表示され、その次段には、前記横断面形状図に対応した複数個のストッパー形状図が表示され、その次段には、前記ストッパー形状図に対応した前記ブランクキーの表面および裏面の平面構造を表わした原寸大の写真または原寸大の平面形状図が複数個表示されていることを特徴とするスペアキー製作用のブランクキー検索表。
【請求項４】
前記平面形状図表は複数枚であることを特徴とする請求項３に記載のスペアキー製作用のブランクキー検索表。
【請求項５】
前記平面形状図表を分割して複数枚の紙葉体とし、且つ、前記ブランクキー分類図表を前記樹形図の構造に沿って複数枚の紙葉体に分割して、当該分割された複数枚の紙葉体を綴じて１冊の本の形態にしたことを特徴とする請求項１ないし請求項４のいずれかの項に記載のスペアキー製作用のブランクキー検索表。
【考案の詳細な説明】
【技術分野】
【０００１】
本考案は、オリジナルキーからスペアキーを作製する際の母材となるブランクキーを検索するのに用いるスペアキー製作用のブランクキー検索表に関するものである。
【背景技術】
【０００２】
オリジナルキーからスペアキーを作る技術は従来から周知の技術となっている。
【０００３】
このスペアキーを作る際には、オリジナルキーの差し込み部と同一の溝形状の差し込み部を有するブランクキーを母材として、このブランクキーを加工して、オリジナルキーと同一の「波形」を形成してスペアキーとしている。この際に、母材となるブランクキーは、従来は以下のように検索されていた。
【０００４】
通常、スペアキー製造業者は、オリジナルキーを製作しているメーカー毎のブランクキー検索カタログを有していて、コピーしようとするオリジナルキーを製作しているメーカーのブランクキー検索カタログの中から、オリジナルキーに対応しているブランクキーを選んでスペアキーの母材としている。
【０００５】
従来は、以上のようにして、オリジナルキーのメーカー毎に用意されたブランクキー検索カタログを用いてスペアキーの母材となるブランクキーを選んでいた。
【考案の概要】
【考案が解決しようとする課題】
【０００６】
しかしながら、以上のような従来のブランクキーの選択手法に関しては、以下のような問題が発生していた。
【０００７】
すなわち、オリジナルキーを製作しているメーカー毎のブランクキー検索カタログを用いて母材となるブランクキーを選択しているために、メーカーが分からない鍵や外国の小さなメーカーの鍵など、メーカー毎のブランクキー検索カタログでは探しようのない鍵がオリジナルキーとして持ち込まれた場合には、スペアキーの母材となるブランクキーを探すことが出来ないという問題が生じていた。従って、そのような場合にはスペアキーを作製することが出来なかった。
【０００８】
本考案は、現在使用されているスペアキー加工機を用いて多少の加工をすれば、たとえメーカーが分からない等のオリジナルキーであっても、スペアキーの母材として使用することが出来るブランクキーが既に存在していれば、そのブランクキーを検索することが出来るブランクキー検索表を提供することを目的としている。
【課題を解決するための手段】
【０００９】
以上の問題を解消するために、本考案の第１の手段は、オリジナルキーからスペアキーを製作する際の母材となるブランクキーを検索するためのブランクキー検索表であって、前記オリジナルキーの差し込み部分の表側と裏側との溝の平面構造を表わした平面形状図が複数個表示されている平面形状図表と、該平面形状図表に表示されている複数個の前記平面形状図の各々に対応した複数枚のブランクキー分類図表とによって構成され、前記ブランクキー分類図表は、前記オリジナルキーの前記平面形状図を元とする樹形図状に構成された図表であって、前記樹形図の前記平面形状図の次段には、前記オリジナルキーの差し込み部分の横断面形状を表わす複数個の横断面形状図が表示され、その次段には、前記横断面形状図に対応した前記オリジナルキーの板厚を示す数字が複数個表示され、その次段には、前記板厚を示す数字に対応した複数個のストッパー形状図が表示され、その次段には、前記ストッパー形状図に対応した前記ブランクキーの表面および裏面の平面構造を表わした原寸大の写真または原寸大の平面形状図が複数個表示されていることを特徴とするものである。
【００１０】
また、本考案の第２の手段は、オリジナルキーからスペアキーを製作する際の母材となるブランクキーを検索するためのブランクキー検索表であって、前記オリジナルキーの差し込み部分の表側と裏側との溝の平面構造を表わした平面形状図が複数個表示されている平面形状図表と、該平面形状図表に表示されている複数個の前記平面形状図の各々に対応した複数枚のブランクキー分類図表とによって構成され、前記ブランクキー分類図表は、前記オリジナルキーの前記平面形状図を元とする樹形図状に構成された図表であって、前記樹形図の前記平面形状図の次段には、前記オリジナルキーの板厚を示す数字が複数個表示され、その次段には、前記板厚を示す数字に対応した前記オリジナルキーの差し込み部分の横断面形状を表わす複数個の横断面形状図が表示され、その次段には、前記横断面形状図に対応した複数個のストッパー形状図が表示され、その次段には、前記ストッパー形状図に対応した前記ブランクキーの表面および裏面の平面構造を表わした原寸大の写真または原寸大の平面形状図が複数個表示されていることを特徴とするものである。
【００１１】
以上の第１の手段と第２の手段とにおいては、前記平面形状図表は複数枚であってもよい。
【００１２】
さらに、以上に記載した手段においては、前記平面形状図表を分割して複数枚の紙葉体とし、且つ、前記ブランクキー分類図表を前記樹形図の構造に沿って複数枚の紙葉体に分割して、当該分割された複数枚の紙葉体を綴じて１冊の本の形態にしてもよい。
【考案の効果】
【００１３】
本考案によれば、メーカーが分からない等の鍵がオリジナルキーであっても、スペアキーの母材として使用することが出来るブランクキーが既に存在していれば、そのブランクキーを検索することが出来る。
【図面の簡単な説明】
【００１４】
【図１】本考案の実施例１の外観構成を示す斜視図である。
【図２】本考案の実施例１に係る平面形状図表の構成図である。
【図３】本考案の実施例１に係るブランクキー分類図表の構成図である。
【図４】本考案の実施例１に係るストッパー形状図表の構成図である。
【図５】本考案の実施例１に係る鍵の部分名称図表の構成図である。
【図６】本考案の実施例１に係る平面形状図表本体の構成図である。
【図７】本考案の実施例１に係る平面形状図の説明図である。
【図８】図３の分割部分を示す説明図である。
【図９】図３の分割部分の拡大図である。
【図１０】図３の分割部分の拡大図である。
【図１１】本考案の実施例１の構成の説明図である。
【図１２】本考案の実施例１の構成の説明図である。
【考案を実施するための形態】
【００１５】
以下、本考案の実施例を図を用いて説明する。
【実施例１】
【００１６】
図１は、本考案の実施例１に係るブランクキー検索表１の外観構成を示した斜視図である。
【００１７】
図１に示したブランクキー検索表１は、図２に示す平面形状図表１０と、複数枚の図３に示す構成のブランクキー分類図表２０とによって構成されている。なお、図２に示す構成平面形状図表１０は複数枚であってもよい。
【００１８】
図２に示す平面形状図表１０は、鍵の部分名称図表１０ａと平面形状図表本体１０ｂとによって構成されている。
【００１９】
鍵の部分名称図表１０ａは図５に示すように、鍵２の各部の名称と鍵２の差し込み部分２ａの「表面」「裏面」の定義が示されている図表である。
【００２０】
鍵２の差し込み部分２ａに形成されている溝の平面構造は「表側」と「裏側」とを一対とした平面形状図１１として、図６に示したように平面形状図表本体１０ｂに複数個表示されている。この平面形状図表本体１０ｂに表示されている個々の平面形状図１１は、図６のＶＩＩの部分を拡大した図７に示すように溝部分１１ａが「黒色」で表示されており、溝部分１１ａの平面構造の識別を容易に行うことが出来るように構成されている。
【００２１】
この平面形状図表本体１０ｂは、既に存在しているオリジナルキーに対応して作製されているブランクキーであって、その平面構造が異なるブランクキーを出来るだけ多く表示するように作製されているものである。
【００２２】
本実施例１においては、図２に示した平面形状図表本体１０ａに表示されている個々の平面形状図１１に対応して、それぞれ１枚の図３に示すブランクキー分類図表２０が作成されている。また、本実施例１においては、図３に示したブランクキー分類図表２０に、ブランクキー分類図表本体２０ａの他に、図４に示すストッパー形状図表２０ｂが表示されており、ブランクキー分類図表本体２０ａには、ストッパー形状図表２０ｂに表示されている個々のストッパー形状図３３に対応した数字が記載されている。
【００２３】
このブランクキー分類図表本体２０ａは、図３に示すように同一の平面形状図１１によって表わされる同一の平面構造を有するブランクキーを平面形状図１１を元とする樹形図状に分類したブランクキーの分類図表である。
【００２４】
以下、このブランクキー分類図表本体２０ａの構成を、図８に示したように分割して図示して詳しく説明する。すなわち、図８に示すように、ＩＸで示した部分を拡大して図９に示し、Ｘで示した部分を拡大して図１０に示して樹形図状のブランクキー分類図表２０ａの構成を詳しく説明する。
【００２５】
先ず、図９に示したように、樹形図において元となる平面形状図１１の次段となる位置には、オリジナルキーの差し込み部分の横断面形状を表わす横断面形状図３１が複数個表示されている。これは、溝の平面形状が同じであっても、その溝自体が「コ」の字状であったり「Ｖ」字状であったりするためである。
【００２６】
この横断面形状図３１の樹形図における次段には、図１０に示すように、オリジナルキーの差し込み部分の板厚を示す数字３２が各横断面形状図３１に対応してそれぞれ表示されている。
【００２７】
この板厚を示す数字３２の次段には、ストッパー形状図３３が表示されている。先に説明したように本実施例１においては、ブランクキー分類図表本体２０ａには、図４に示すストッパー形状図表２０ｂに表示されたストッパー形状図３３の個々に対応した数字のみが表示されている。
【００２８】
このストッパー形状図３３の次段には、各ストッパー形状図３３に対応して現実に存在しているブランクキーの「表面」および「裏面」の平面構造を表わした原寸大の写真３４（または原寸大の平面形状図３４）が表示されている。この原寸大の写真３４によって、ブランクキーの差し込み部分の実際の幅や長さを確認することができる。
【００２９】
次に、以上のように構成された本実施例１に係る図１に示したブランクキー検索表１の使用方法について説明する。
【００３０】
先ず、コピーをすべきオリジナルキーを手にした使用者は、図１に示すブランクキー検索表１の平面形状図表１０の中から、オリジナルキーと一致する平面形状図１１を見つけ、その見つけた平面形状図１１に対応するブランクキー分類図表２０を開く。後は、ブランクキー分類図表本体２０ａに記された樹形図に沿って、オリジナルキーの溝の横断面構造と一致する横断面形状図３１を見つけ、次にオリジナルキーの板厚と同一の板厚３２を見つけた後、オリジナルキーのストッパー形状と同一のストッパー形状図３３を確認して、スペアキーの母材となるブランクキーの原寸大の写真３４を探し出せばよい。そして、最後に、オリジナルキーと写真３４とを比較して、そのブランクキーからスペアキーの作製が可能であるか否かの最終判断をすればよい。
【００３１】
以上のようにして、本実施例の使用者は、たとえ製造したメーカーが不明なオリジナルキーであっても、スペアキーの母材となるブランクキーが存在していれば、そのブランクキーを見つけてスペアキーを作製することができる。
【００３２】
なお、以上説明した本実施例１のブランクキー分類図表本体２０ａの構成では、樹形図において横断面形状図３１の次段に板厚を示す数字３２が表示される構成となっているが、この構成は、板厚を示す数字３２を前段にして、その後段に対応する横断面形状図３１を表示する構成としてもよい。
【００３３】
さらに、本実施例１のブランクキー検索表１の平面形状図表１０を複数枚の紙葉体に分割して、ブランクキー分類図表２０を樹形図の構造に沿って、例えば図９および図１０に示すように複数枚の紙葉体に分割してそれらの複数枚の紙葉体４１を綴じて図１１に示すように１冊の本４０の形態にすれば、持ち運びに便利なブランクキー検索表にすることが出来る。
【００３４】
なお、このように本４０の形態にした場合には、例えば図１２に示すように、樹形図の次段が掲載されている頁を表わす数字４２を表示しておけば、分割前のブランクキー分類図表２０を用いた検索と同様に該当するブランクキーを容易に見つけ出すことが出来る。
【符号の説明】
【００３５】
１  ブランクキー検索表
２  鍵
２ａ  差し込み部分
１０  平面形状図表
１０ａ  鍵の部分名称図表
１０ｂ  平面形状図表本体
１１  平面形状図
１１ａ  溝部分
２０  ブランクキー分類図表
２０ａ  ブランクキー分類図表本体
２０ｂ  ストッパー形状図表
３１  横断面形状図
３２  板厚を示す数字
３３  ストッパー形状図
３４  原寸大の写真
４０  本
４１  紙葉体
４２  頁を示す数字
【図１】
0003186246.tif 000003
【図２】
0003186246.tif 000004
【図３】
0003186246.tif 000005
【図４】
0003186246.tif 000006
【図５】
0003186246.tif 000007
【図６】
0003186246.tif 000008
【図７】
0003186246.tif 000009
【図８】
0003186246.tif 000010
【図９】
0003186246.tif 000011
【図１０】
0003186246.tif 000012
【図１１】
0003186246.tif 000013
【図１２】
0003186246.tif 000014